(57)【要約】【課題】本発明は、発電式電気錠に関し、電気錠の電気配線工事を不要として、ドアに直ぐに取り付けて使用できるようにすることが課題である。【解決手段】開き戸に設けられる電気錠に、この電気錠の錠本体を駆動させる電源として手回し式の発電装置８を設けた発電式電気錠１とする。【選択図】  図１
2004285638.tif 000002
【特許請求の範囲】
【請求項１】
開き戸に設けられる電気錠に、この電気錠の錠本体を駆動させる電源として手回し式の発電装置を設けたこと、
を特徴とする発電式電気錠。
【請求項２】
発電装置は、ダイヤル式のもので、このダイヤルが所定方向に回転された後、戻し用付勢手段の付勢力によって逆回転されて戻る途中においてダイヤル軸に連結された発電機が回転駆動されて電気を発生するものであること、
を特徴とする請求項１に記載の発電式電気錠。
【発明の詳細な説明】
【０００１】
【発明の属する技術分野】
本発明は、発電式電気錠（電子錠と称するものを含む、以下同じ）に係り、詳しくは、電気錠を作動させる駆動電源を、発電式にした発電式電気錠に関する。
【０００２】
【従来の技術】
従来において、例えば、回転式ドアや引き戸等においてドア錠として用いられる電気錠若しくは電子錠は、暗証番号をテンキーにより入力し、その暗証番号を、制御部において記憶部若しくは記憶用メモリー部の所定の番号と参照させて、一致すると、電気錠本体が駆動されて、解錠するものである。
【０００３】
よって、このような電気錠・電子錠には、制御部及び錠前本体を駆動させるために１００ｖ電源を必要とし、また、簡単な電気錠・電子錠では乾電池を使用している（例えば、特許文献１参照。）。
【０００４】
【特許文献１】
特開平５−２１４８５６号公報（第２頁〜第３頁  、第１図乃至第６図）
【０００５】
【発明が解決しようとする課題】
しかしながら、例えば、停電等で前記電源から電気が供給されない事態になった場合には解錠できなくなる。また、その不都合を回避するためにバッテリーなどによる非常時バックアップ電源を用意すると、こんどはその設置場所が必要となり、スペースが必要となると共にコストも嵩むことになる。更に、ドアにおいては、制御装置及び供給電源からの電気配線が必要で、大がかりな配線工事となって手間が掛かる。一方、乾電池による電源とするものは、大がかりな配線工事が不要となるが、必ず所定期間毎に乾電池の交換作業が必要となり、メンテナンス上の手間が掛かる。本発明に係る発電式電気錠はこのような課題を解決するために提案されたものである。
【０００６】
【課題を解決するための手段】
上記課題を解決するために、本発明に係る発電式電気錠の要旨は、開き戸に設けられる電気錠に、この電気錠の錠本体を駆動させる電源として手回し式の発電装置を設けたことである。
また、前記発電装置は、ダイヤル式のもので、このダイヤルが所定方向に回転された後、戻し用付勢手段の付勢力によって逆回転されて戻る途中においてダイヤル軸に連結された発電機が回転駆動されて電気を発生するものであることを含むものである。
【０００７】
本発明に係る発電式電気錠によれば、発電装置を備えているので、電気錠を取り付けるドア等において配線工事が不要であり、また、ドアを解錠させる時のみ、ダイヤルを回してその戻り回転中に発電させて、テンキー入力し、解錠させれば良いので、電池交換の作業も不要である。
【０００８】
【発明の実施の形態】
次に、本発明に係る発電式電気錠１について、図面を参照して説明する。図１に示すように、開閉ドアや引き戸等のドアに取り付ける電気錠（電子錠も含む）の框体２には、電気錠本体３と、ドアノブ４と、テンキー部５と、そのテンキー部５の周囲に取り付けた回転自在なダイヤル部６と、このダイヤル部６によって回転する回転軸に歯車等で機械的に連結された戻し用付勢手段であるバネ部７と、このバネ部７によって回転駆動される発電装置である発電機８と、該発電機８に電気的に接続された電源供給部９である整流回路９ａ及びキャパシタ９ｂと、該電源供給部９に電気的に接続された制御部１０と、前記電気錠本体３により解除方向に水平移動されるデッッドボルト１１と、ドアノブ４により進退されるラッチ１２とが設けられている。
【０００９】
前記テンキー部５に、前記電源供給部９から電源が供給され、数字０〜９までの液晶表示部が点灯するようになっている。また、テンキー部５は、前記制御部１０と信号線で接続されている。前記電気錠本体３も制御部１０と信号線で接続され、前記電源供給部９と電気的に接続されて電源供給される。
【００１０】
前記電気錠１に係る電気供給と信号線の各接続状況は、図２に概略的に示している。なお、制御部１０には、解錠用の暗証番号を記憶するメモリー部が設けられている。
【００１１】
このようにしてなる発電式電気錠１を使用すると、室外側からドアを解錠しようとする者が、まず、ダイヤル部６の円盤状のダイヤルを、それに穿設されている孔６ａに指先を入れバネ部７の付勢力に抗して、時計方向に回転させる。
【００１２】
前記ダイヤルの回転停止位置まで回転させると、前記指を離隔させる。すると、回転軸を介して時計方向に回転されて、引張られ、若しくは、捻られたバネ部７が反時計方向に戻り、同時に、駆動軸が連結された小型発電機８が回転されて、発電される。
【００１３】
前記小型発電機８で発電された交流電気が整流回路９ａにより直流にされ、キャパシタ９ｂで放電する間（例えば、約３０秒程度、設計による）に、テンキー部５の液晶表示部に電源が供給されて点灯し、制御部１０にも電源が供給される。その間に、テンキー部５に対して解錠番号を押す。
【００１４】
前記入力された解錠番号が、信号線により制御部１０に伝達され、該制御部１０において正しい番号であるか否かが判別される。そして、判別部において、正しいと判断されると、制御部１０は電気錠本体３への通電をＯＮにする。それにより、デッドボルト１１が電気錠本体側に引き戻されて解錠される。その後、ドアノブ４を回してラッチ１２を解除してドアを開けるものである。
【００１５】
このように、発電式電気錠１には、自前の発電機が設けられているので、停電時に解錠操作が不可能となる従来の電気錠の課題が解消される。よって、建物の改修工事や新築工事において、ドア用の電気配線がされていない工事途中の場合でも、この発電式電気錠を使用することができるようになる。
【００１６】
【発明の効果】
上記説明したように、本発明に係る発電式電気錠は、開き戸に設けられる電気錠に、この電気錠の錠本体を駆動させる電源として手回し式の発電装置を設けたので、ドに電気配線が不要となってコスト低減となり配線作業工数も削減される。また、ドアの改修工事や建物の新築工事においても、直ぐにドアに取り付けて使用できる。更に、電池交換のメンテナンスも不要となる。ダイヤルとテンキー部との２重のセキュリティとなって、悪戯に解錠されることがなく、老人ホームのドア等に有効な電気錠となる。
【００１７】
前記発電装置は、ダイヤル式のもので、このダイヤルが所定方向に回転された後、戻し用付勢手段の付勢力によって逆回転されて戻る途中においてダイヤル軸に連結された発電機が回転駆動されて電気を発生するものであるので、構造が簡単でメンテナンスも容易となる。
【図面の簡単な説明】
【図１】本発明に係る発電式電気錠１の概略構成を示す説明図である。
【図２】同本発明に係る発電式電気錠１の配線状態を示す説明図である。
【符号の説明】
１      発電式電気錠、      ２        框体、
３      電気錠本体、        ４        ドアノブ、
５      テンキー部、        ６        ダイヤル部、
７      バネ部、            ８        発電機、
９      電源供給部、        １０      制御部、
１１    デッッドボルト、    １２      ラッチ。
【図１】
2004285638.tif 000003
【図２】
2004285638.tif 000004